(57)【要約】【課題】食器洗い機の食器かごにおいて、食器かごに収容できる食器類の形状，寸法の制約を減らし、使い勝手を向上させる。【解決手段】食器類１５を載置する食器載置用線材５と食器載置用線材５を固定支持する支持線材９を有する食器かご２と、該食器かご２を載置する洗浄槽１を有する食器洗い機において、複数の食器載置用線材５と略Ｕ字形状の支持線材９からなる食器載置部８を設け、該食器載置部８を前記食器かご２に設けた軸受け部１０に回動可能に軸支した。【選択図】図１
2007313139.tif 000002
【特許請求の範囲】
【請求項１】
食器を載置する食器載置用線材と食器載置用線材を固定支持する支持線材を有する食器かごと、前記食器かごを載置する洗浄槽を有する食器洗い機において、複数の食器載置用線材と略Ｕ字形状の支持線材からなる食器載置部を設け、該食器載置部を前記食器かごに設けた軸受け部に回動可能に軸支したことを特徴とする食器洗い機。
【請求項２】
食器かごは、上かごと下かごにより構成され、前記食器載置部は下かごに設けられ、前記食器載置部の真上に位置する上かごは着脱可能な構成としたことを特徴とする請求項１記載の食器洗い機。
【請求項３】
食器載置用線材は、前記支持線材の略Ｕ字形状の内側に固定支持されたことを特徴とする請求項１記載の食器洗い機。
【請求項４】
食器載置部の回動可能範囲は９０度以上とし、食器載置部を回動範囲内の途中にある少なくとも１個所以上の任意の位置で係止可能としたことを特徴とする請求項１記載の食器洗い機。
【請求項５】
食器載置部は、係止状態時に支持線材の略Ｕ字形状の長手方向で、かつ外側に位置する部位により食器を保持することを特徴とする請求項３ないし４記載の食器洗い機。
【請求項６】
食器載置部の両端に設けた係止部材は、前記食器かごに設けた軸受け部に回動可能に軸支されたことを特徴とする請求項４記載の食器洗い機。
【請求項７】
略Ｕ字形状の食器載置補助部材は、下かご上方の軸受け部に回動可能に軸支され、少なくとも１個所以上の任意の位置で係止可能とし、かつ前記食器載置補助部材を前記食器載置部の近傍に設けたことを特徴とする請求項２記載の食器洗い機。
【発明の詳細な説明】
【技術分野】
【０００１】
本発明は、洗浄槽内に食器等を収容する食器かごを載置して食器等を洗浄する食器洗い機に関するものである。
【背景技術】
【０００２】
従来のこの種の食器洗い機において、食器かごは、例えば図８に示すような構成が一般的である。
【０００３】
図において、食器かご１０１は、上かご１０２と下かご１０３で構成されている。
【０００４】
下かご１０３は、主に皿類や椀類を立てて載置するための多くの食器載置用線材１０４が枠となる線材１０５に固定されて組み立てられており、食器載置用線材１０４は、収納する食器の種類に応じて固定角度や固定幅、上面に突出する長さ等を変えることで対応している。
【０００５】
上かご１０２は、主にコップ類を載置するための棚が線材で形成され、下かご１０３に食器を載置し易くするために上かご１０２が起き上げられるように、下かご１０３に回動可能に支持されている。
【０００６】
また、食器洗い機の食器かごに比較的大きな食器や調理器具を収容したい場合、例えば図９及び図１０（特許文献１）に記載されているような構成のものがある。
【０００７】
この図に示すものは、食器かご１０１が上かご１０２と下かご１０３で構成されており、上かご１０２は食器が載置可能な状態（図９）から回動させ、更に傾斜させた状態（図１０）で保持することにより下方に空間１０６を確保できる構成となっている。
【０００８】
【特許文献１】特開２００４−３５１０８２号公報
【発明の開示】
【発明が解決しようとする課題】
【０００９】
上記従来の構成において、前者，後者とも下かご１０３に食器類を収容する場合、食器載置用線材１０４が枠となる線材１０５に固定されているため、食器の形状や大きさに制約ができ、自由度が少ないものであった。
【課題を解決するための手段】
【００１０】
本発明は上記従来の欠点を解決するためになされたものであり、具体的には下記の構成としたものである。
【００１１】
請求項１では、食器を載置する食器載置用線材と食器載置用線材を固定支持する支持線材を有する食器かごと、前記食器かごを載置する洗浄槽を有する食器洗い機において、複数の食器載置用線材と略Ｕ字形状の支持線材からなる食器載置部を設け、該食器載置部を前記食器かごに設けた軸受け部に回動可能に軸支したものである。
【００１２】
請求項２では、食器かごは、上かごと下かごにより構成され、前記食器載置部は下かごに設けられ、前記食器載置部の真上に位置する上かごは着脱可能な構成としたものである。
【００１３】
請求項３では、食器載置用線材は、前記支持線材の略Ｕ字形状の内側に固定支持されたものである。
【００１４】
請求項４では、食器載置部の回動可能範囲は９０度以上とし、食器載置部を回動範囲内の途中にある少なくとも１個所以上の任意の位置で係止可能としたものである。
【００１５】
請求項５では、食器載置部は、係止状態時に支持線材の略Ｕ字形状の長手方向で、かつ外側に位置する部位により食器を保持するものである。
【００１６】
請求項６では、食器載置部の両端に設けた係止部材は、前記食器かごに設けた軸受け部に回動可能に軸支されたものである。
【００１７】
請求項７では、略Ｕ字形状の食器載置補助部材は、下かご上方の軸受け部に回動可能に軸支され、少なくとも１個所以上の任意の位置で係止可能とし、かつ前記食器載置補助部材を前記食器載置部の近傍に設けたものである。
【発明の効果】
【００１８】
上記本発明によれば、従来では食器かごに収容が困難であった大きめの食器等が収容可能となり、使い勝手の良い食器洗い機を提供することができる。
【発明を実施するための最良の形態】
【００１９】
以下、本発明の実施例について図面を参照して説明する。
【００２０】
本発明に係る食器洗い機は図１に示すように、上側に食器類１５が出し入れできる開口１ａを有する洗浄槽１を備え、該洗浄槽１内には食器類１５を収容する食器かご２が載置されている。
【００２１】
食器かご２は、図２に示すように、上かご３と下かご４の２段で構成され、下かご４は主に皿類１５ａや椀類１５ｂを立てて載置し、上かご３は主に湯呑み１５ｃやコップ類
１５ｄを載置することができるようになっている。
【００２２】
また、下かご４は、食器類１５を倒れないように押さえて保持するための食器載置用線材５と、それらを固定支持する為の支持線材６、支持線材６を固定支持し、洗浄槽１に載置する為の枠となる枠線材７とで形成されている。
【００２３】
また、下かご４は、載置される食器類１５等に応じて固定角度や固定幅及び上面に突出させる長さ等を変えた食器載置用線材５を支持線材６に固定して形成した複数の食器載置部８を有している。
【００２４】
そして、その複数ある食器載置部８のいずれかを、略Ｕ字形状の支持線材９と略Ｕ字形状の内側に固定支持して配列された複数の食器載置用線材５とで構成し、下かご４に設けた軸受け部１０に回動可能に軸支された構成としている。
【００２５】
また、回動する食器載置部８の回動可能範囲は９０度以上とし、回動範囲内の途中でも係止可能な構成としている。そして、その係止方法としては回動する食器載置部８の略Ｕ字形状の支持線材９の両端に突出させて設けた支持部１１を一対の係止部材１２により支持することにより任意の角度を保持するようにしている。
【００２６】
上記係止部材１２は下かご４に回動可能に軸支され、使用しない時は食器収容の邪魔にならないように水平方向に寝かせて置かれている。
【００２７】
図２，図３に示すように、通常回動する食器載置部８は、水平方向に保持されており、上側に突出した食器載置用線材５により食器を載置している。
【００２８】
しかし、食器類１５の中でも比較的大きなものや、深い形状のものを載置したい場合、上側に突出した食器載置用線材５が食器類１５に当たってしまうため載置の自由度がなくなり、邪魔になる。
【００２９】
そこで、食器載置部８を回動させることにより食器載置用線材５をどかして空間をつくり、そこに食器類１５を載置できる場所を確保することができる。
【００３０】
図４，図５に示すように、例えば外径３０cmの大皿１５ｅを収容しようとした場合、通常の大皿用載置部では想定外の大きさのため食器載置用線材５が邪魔をして収容できないので、食器載置部８を回動させて載置可能な空間を確保する必要がある。
【００３１】
同時に、回動する食器載置部８の真上に位置する上かご３は、着脱可能な構成とし、大皿１５ｅの収容時は邪魔となる為、取り外して空間を確保する。
【００３２】
また、大皿１５ｅが他の食器類１５に当たらないように、かつ洗浄しやすいように任意の角度で保持する為、図５（ａ）に示すように回動する食器載置部８を係止部材１２により任意の角度で係止させ、傷がつかないように略Ｕ字形状の支持線材９の外側面を大皿
１５ｅに当てて保持する。
【００３３】
食器載置用線材５は、略Ｕ字形状の支持線材９の内側に固定支持されているので食器載置用線材５と大皿１５ｅは接触しない構成となっている。
【００３４】
また、食器類１５の外径が大きいため略Ｕ字形状の支持線材９だけでは保持が困難な場合、回動する食器載置部８の近傍の上方に回動可能に設けた略Ｕ字形状の食器載置補助部材１４を大皿１５に当てることで大皿１５ｅを保持する。
【００３５】
食器載置補助部材１４は、通常時邪魔にならないように図５（ｃ）に示すように垂直方向に倒しておき、必要に応じて図５（ｂ）のように回動させ、任意の角度で係止した状態で食器類１５に当てて食器類１５を保持する。
【００３６】
図６，図７は回動する食器載置部８の空間にドンブリ１５ｆを収容した例を示している。
【００３７】
深さのあるどんぶり１５ｆ等の食器類１５を収容する場合は、食器載置部８を略９０度まで回動させて、空間を広く確保することで載置可能にしている。
【００３８】
本発明は、以上の構成としたことにより、収容する食器類１５の形状，寸法の制約が減り、収容に自由度ができ、使い勝手を向上させることができる。
【図面の簡単な説明】
【００３９】
【図１】本発明の一実施例を示すもので、側面から食器洗い機の内部を見た断面図である。
【図２】同食器かごに食器を収納した状態を示す斜視図である。
【図３】同食器かごの一形態を示す斜視図である。
【図４】同食器かごに大皿を収納した状態を示す斜視図である。
【図５】同（ａ）は同大皿収納状態の拡大斜視図であり、（ｂ）は大皿収納時の食器かごの一形態を示す斜視図であり、（ｃ）は係止位置を変えた食器かごの一形態を示す斜視図である。
【図６】同食器かごにドンブリを収納した状態を示す斜視図である。
【図７】同（ａ）はドンブリ収納状態の拡大斜視図であり、（ｂ）はドンブリ収納時の食器かご形態を示す斜視図である。
【図８】従来例の食器かごの一形態を示す斜視図である。
【図９】従来例の一形態を示す食器洗い機の断面図である。
【図１０】従来例の一形態を示す食器洗い機の断面図である。
【符号の説明】
【００４０】
１…洗浄槽、２…食器かご、３…上かご、４…下かご、５…食器載置用線材、６，９…支持線材、７…枠線材、８…食器載置部、１０…軸受け部、１１…支持部、１２…係止部材、１５…食器類。
【図１】
2007313139.tif 000003
【図２】
2007313139.tif 000004
【図３】
2007313139.tif 000005
【図４】
2007313139.tif 000006
【図５】
2007313139.tif 000007
【図６】
2007313139.tif 000008
【図７】
2007313139.tif 000009
【図８】
2007313139.tif 000010
【図９】
2007313139.tif 000011
【図１０】
2007313139.tif 000012